(57)【特許請求の範囲】
【請求項１】
サーバと、カラオケルームに設置されカラオケ演奏が可能なカラオケ演奏端末とが通信可能に接続された通信カラオケシステムであって、
前記サーバは、
前記カラオケ演奏端末との間で、データ及び信号の送受信を制御するサーバ通信制御手段と、
補聴器を使用する利用者の利用者ＩＤと、当該利用者の補聴器の右耳用周波数特性補正情報及び左耳用周波数特性補正情報とを紐付けて記憶し管理する周波数特性補正情報記憶管理手段と、
を備え、
前記カラオケ演奏端末は、
利用者にログインを行わせるログイン手段と、
前記サーバとの間で、データ及び信号の送受信を制御する端末通信制御手段と、
前記サーバから前記利用者の右耳用周波数特性補正情報及び左耳用周波数特性補正情報を取得する周波数特性補正情報取得手段と、
カラオケ演奏信号及びカラオケ演奏に合わせた利用者の歌唱音声信号を混合して、第１スピーカ及び第２スピーカにて放音するためのステレオ音声信号を出力するステレオ音声信号出力手段と、を備え、
前記ステレオ音声信号出力手段は、前記周波数特性補正情報取得手段により取得した右耳用周波数特性補正情報に基づいて前記第１スピーカまたは前記第２スピーカのいずれか一方から放音するための音声信号の周波数特性を補正して出力するとともに、前記周波数特性補正情報取得手段により取得した左耳用周波数特性補正情報に基づいて、前記第１スピーカまたは前記第２スピーカのいずれか他方から放音するための音声信号の周波数特性を補正して出力する、
ことを特徴とする通信カラオケシステム。
【請求項２】
前記カラオケ演奏端末はカラオケ演奏に加えてＢＧＭ演奏が可能であり、
前記ステレオ音声信号出力手段はモード切換手段を備え、
前記モード切換手段は、前記周波数特性補正情報取得手段により取得した右耳用周波数特性補正情報に基づいて前記第１スピーカから放音するための音声信号の周波数特性を補正して出力するとともに、前記周波数特性補正情報取得手段により取得した左耳用周波数特性補正情報に基づいて前記第２スピーカから放音するための音声信号の周波数特性を補正して出力する第１の音声信号出力モードと、前記周波数特性補正情報取得手段により取得した右耳用周波数特性補正情報に基づいて前記第２スピーカから放音するための音声信号の周波数特性を補正して出力するとともに、前記周波数特性補正情報取得手段により取得した左耳用周波数特性補正情報に基づいて前記第１スピーカから放音するための音声信号の周波数特性を補正して出力する第２の音声信号出力モードとを切り換える、
ことを特徴とする請求項１に記載の通信カラオケシステム。
【発明の詳細な説明】
【技術分野】
【０００１】
本発明は通信カラオケシステムに関するものであり、詳しくは、聴力障害を持つ利用者であっても、補聴器等の聴力補助器具を使用することなくカラオケを楽しむことが可能な通信カラオケシステムに関するものである。
【背景技術】
【０００２】
高齢者や聴力障害者は、特定の周波数域の音が聞き取り難くなるケースが多く、補聴器等の聴力補助器具を使用しなければならない。この場合、補聴器等の聴力補助器具において、マイクロホンで収音された音を一律に増幅するのではなく、特定の周波数域に関して補正する必要がある。そこで、音の周波数域に応じて出力特性を補正する技術が種々開示されている。
【０００３】
例えば、特許文献１（特開２０００−５０３９５号公報）には、補聴器の使用者が聞き取ることができる周波数特性を測定し、デジタル信号処理プロセッサにその逆特性を持たせて、収音された音を補正することにより、可聴帯域全体をフラットな特性で聞き取ることができるようにした補聴器に関する技術が開示されている。
【０００４】
また、高齢者の介護施設等でカラオケ演奏端末を利用した介護、リハビリテーションが普及しており、このような用途に適したカラオケ演奏端末が種々提案されている。例えば特許文献２（特開２０１２−９３５１９号公報）には、歌唱者の年齢に基づいて音場空間に出力される楽音の出力特性を調整するカラオケシステムに関する技術が開示されている。この技術を使用することにより、カラオケ伴奏と歌唱の音場空間における音像が重ならず、歌唱音声がカラオケ伴奏よりも大きく聴こえるといった効果を期待することができる。この技術によれば、年齢とともに狭くなる歌唱者の発声音域や、少なくなる声量に起因する歌唱力の低下を補うことができるとしている。
【０００５】
また、特許文献３（特開２００８−１７７７４５号公報）には、難聴者が補聴器を装着したり、携帯したりする必要がなく、自宅の各部屋で発生した生活音を聴取することができる技術が開示されている。この技術は、各部屋の放収音装置が収音した家電の報知音等の生活音を他の部屋の放収音装置に送信し、受信した放収音装置では、その生活音を難聴者の聴覚特性に応じて補正して放音するようになっている。
【０００６】
一方、カラオケルーム等に設置される業務用通信カラオケの分野においては、利用客の好みに合った低音／高音バランスやエコー量などの音響特性を設定するとともに、当該設定をサーバに記憶して、当該利用客のログイン時に音響特性を自動設定するサービスが可能となっている。このような技術として、特許文献４（特開２００４−２９４４８１号公報）に、カラオケ演奏時とＢＧＭ演奏時で異なる音響効果を付与する技術が開示されている。
【先行技術文献】
【特許文献】
【０００７】
【特許文献１】特開２０００−５０３９５号公報
【特許文献２】特開２０１２−９３５１９号公報
【特許文献３】特開２００８−１７７７４５号公報
【特許文献４】特開２００４−２９４４８１号公報
【発明の概要】
【発明が解決しようとする課題】
【０００８】
ところで、高齢者の介護施設等で、介護やリハビリテーションのためにカラオケ装置を利用する場合に、カラオケ利用者は老人性難聴のため補聴器を使用していることが多い。しかし、補聴器の装着は違和感を覚えるものであり、補聴器を使用せずに歌唱できるのであれば、カラオケの楽しさをより一層高めることができる。
【０００９】
この場合には、上述した特許文献２や特許文献３に開示された技術を用いて、聴覚障害を有するカラオケ利用者が、カラオケ演奏音を聴き取り易いように補正して放音し、特許文献４に開示された技術を用いて、設定情報（補正情報）を利用者ＩＤと紐付けて記憶しておくことが考えられる。
【００１０】
しかし、聴取可能な周波数帯域が左右の耳で異なる利用者の場合には、上記の従来技術では対応できず、逆に不適正な補正により、問題なく聴こえていた周波数帯域がうるさく感じられてしまうおそれがあった。
【００１１】
本発明は、上述した事情に鑑み提案されたもので、聴取可能な周波数帯域が左右の耳で異なる利用者であっても、補聴器を装着することなくカラオケを楽しむことが可能な通信カラオケシステムを提供することを目的とする。
【課題を解決するための手段】
【００１２】
本発明の通信カラオケシステムは、上述した目的を達成するため、以下の特徴点を有している。すなわち、本発明の通信カラオケシステムは、サーバと、カラオケルームに設置されカラオケ演奏が可能なカラオケ演奏端末とが通信可能に接続された通信カラオケシステムに関する技術である。
【００１３】
サーバは、カラオケ演奏端末との間で、データ及び信号の送受信を制御するサーバ通信制御手段と、補聴器を使用する利用者の利用者ＩＤと、当該利用者の補聴器の右耳用周波数特性補正情報及び左耳用周波数特性補正情報とを紐付けて記憶し管理する周波数特性補正情報記憶管理手段とを備えている。
【００１４】
カラオケ演奏端末は、利用者にログインを行わせるログイン手段と、サーバとの間で、データ及び信号の送受信を制御する端末通信制御手段と、サーバから利用者の右耳用周波数特性補正情報及び左耳用周波数特性補正情報を取得する周波数特性補正情報取得手段と、カラオケ演奏信号及びカラオケ演奏に合わせた利用者の歌唱音声信号を混合して、第１スピーカ及び第２スピーカにて放音するためのステレオ音声信号を出力するステレオ音声信号出力手段とを備えている。
【００１５】
そして、ステレオ音声信号出力手段は、周波数特性補正情報取得手段により取得した右耳用周波数特性補正情報に基づいて第１スピーカまたは第２スピーカのいずれか一方から放音するための音声信号の周波数特性を補正して出力するとともに、周波数特性補正情報取得手段により取得した左耳用周波数特性補正情報に基づいて、第１スピーカまたは第２スピーカのいずれか他方から放音するための音声信号の周波数特性を補正して出力することを特徴とするものである。
【００１６】
また、上述した構成からなる通信カラオケシステムにおいて、カラオケ演奏端末はカラオケ演奏に加えてＢＧＭ演奏を可能とし、ステレオ音声信号出力手段はモード切換手段を備えていてもよい。そして、モード切換手段は、２種類の音声出力モードを切り換えて音声信号を出力する。
【００１７】
第１の音声出力モードは、周波数特性補正情報取得手段により取得した右耳用周波数特性補正情報に基づいて第１スピーカから放音するための音声信号の周波数特性を補正して出力するとともに、周波数特性補正情報取得手段により取得した左耳用周波数特性補正情報に基づいて第２スピーカから放音するための音声信号の周波数特性を補正して出力するモードである。
【００１８】
第２の音声信号出力モードは、周波数特性補正情報取得手段により取得した右耳用周波数特性補正情報に基づいて第２スピーカから放音するための音声信号の周波数特性を補正して出力するとともに、周波数特性補正情報取得手段により取得した左耳用周波数特性補正情報に基づいて第１スピーカから放音するための音声信号の周波数特性を補正して出力するモードである。
【００１９】
このような構成からなる通信カラオケシステムでは、補聴器使用者の左右の耳の周波数特性補正情報と利用者ＩＤとを紐付けて記憶しておき、カラオケ演奏を行う際に当該補正情報に基づいて、カラオケルームに設置された左右のスピーカ（第１スピーカ及び第２スピーカ）から放音される音声信号の周波数特性をそれぞれ補正する。また、左右の周波数特性補正情報を逆転させるモード切換手段を備えることにより、歌唱位置とリスニング位置の双方において周波数特性の補正に対応する。
【発明の効果】
【００２０】
本発明の通信カラオケシステムでは、補聴器等のように、左右の耳で聞き取る音声をほぼ完全に分離するわけではないが、左耳で聴く音は左耳用に周波数特性が補正されたスピーカ音が支配的であり、右耳で聴く音は右耳用に周波数特性が補正されたスピーカ音が支配的であるため、補聴器等の聴力補助器具を使用しなくても、補聴器等の聴力補助器具を使用した時に近い聴感を得ることができる。
【００２１】
また、カラオケ歌唱時（ステージ上の歌唱者位置）とＢＧＭ鑑賞時（客席位置）とでは、利用者の耳の位置とスピーカの位置の関係が左右逆転するが、周波数特性補正情報を左右逆転して使用することにより、カラオケ歌唱時及びＢＧＭ観賞時の双方に、容易に対応することができる。
【図面の簡単な説明】
【００２２】
【図１】本発明の実施形態に係る通信カラオケシステムの概略構成を示すブロック図。
【図２】利用者別周波数特性補正情報データベースの構成を示す説明図。
【図３】第１の音声出力モードにおける音声出力状態の模式図。
【図４】第２の音声出力モードにおける音声出力状態の模式図。
【発明を実施するための形態】
【００２３】
以下、図面を参照して、本発明の通信カラオケシステムの実施形態について説明する。図１〜図４は本発明の実施形態に係る通信カラオケシステムを説明するもので、図１は通信カラオケシステムの概略構成を示すブロック図、図２は利用者別周波数特性補正情報データベースの説明図、図３は第１の音声出力モードの模式図、図４は第２の音声出力モードの模式図である。
【００２４】
＜通信カラオケシステムの概要＞
本発明の実施形態に係る通信カラオケシステム１００は、図１に示すように、サーバ６０及びカラオケ演奏端末１０により構成されるシステムであり、サーバ６０は、サーバ通信制御手段６２と、周波数特性補正情報記憶管理手段６３を備えている。カラオケ演奏端末１０は、ログイン手段１２ｅと、端末通信制御手段２５と、周波数特性補正情報取得手段２６と、ステレオ音声信号出力手段２７を備えている。また、音声を放音するための手段として、第１スピーカ１４ａと第２スピーカ１４ｂとを備えている。なお、第１スピーカ１４ａ及び第２スピーカ１４ｂは、それぞれ１つのスピーカにより構成してもよいが、出力音域が異なる複数のスピーカ（例えば、ツイーター、スコーカー、ウーファー）を１群として、第１スピーカ１４ａ及び第２スピーカ１４ｂをそれぞれ構成してもよい。
【００２５】
そして、ステレオ音声信号出力手段２７の機能により、周波数特性補正情報取得手段２６により取得した右耳用周波数特性補正情報及び左耳用周波数特性補正情報に基づいて、それぞれ第１スピーカ１４ａまたは第２スピーカ１４ｂから放音するための音声信号の周波数特性を補正して出力するようミキシングアンプ１６を制御する。ミキシングアンプ１６には、ステレオ音声信号のそれぞれの周波数特性を補正するための複数段イコライザがＤＳＰ等により構成されている。また、これらの手段に加えて、モード切換手段２８を備えることが可能である。さらに、本実施形態のカラオケ演奏端末１０は、カラオケ演奏に加えてＢＧＭ演奏が可能である。
【００２６】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
＜カラオケ演奏端末＞
本発明の実施形態に係る通信カラオケシステム１００を適用するカラオケ演奏端末１０は、図１に示すように、カラオケ本体１１、カラオケリモコン装置１２、マイクロホン１３、スピーカ１４、表示装置１５を備えている。また、カラオケ演奏端末１０は、ルータ４０及びインターネット、専用電話回線、一般電話回線、無線通信回線等のデータ通信回線５０を介して、サーバ６０とネットワーク接続されている。
【００２８】
＜サーバ＞
サーバ６０は、複数のカラオケ演奏端末１０と通信を行うことにより、種々の制御信号及びデータを送受信するための装置であり、カラオケ演奏端末１０を総合的に管理するようになっている。また、図示しないが、サーバ６０は、データ通信回線及び通信基地局を介して、利用者が所持する携帯情報端末とデータ通信を行うことができるように構成してもよい。
【００２９】
サーバ６０は、図１に示すように、サーバ６０として機能するための主要な機器として、ＣＰＵ等を含むサーバ制御手段６１、サーバ通信制御手段６２、サーバＨＤＤ６４を備えている。また、本実施形態のサーバ６０は、カラオケ演奏端末１０の第１スピーカ１４ａ及び第２スピーカ１４ｂから放音する音声信号の周波数特性を補正する情報を記憶し管理するための手段である周波数特性補正情報記憶管理手段６３と、利用者の属性情報を利用者ＩＤに紐付けして記憶し管理する利用者情報記憶管理手段６５を備えている。サーバＨＤＤ６４には、利用者に関する各種情報を記憶した利用者情報管理データベース６４ａ、利用者別周波数特性補正情報データベース６４ｂが格納されている。
【００３０】
＜サーバ通信制御手段＞
サーバ通信制御手段６２は、カラオケ演奏端末１０との間で、データ及び信号の送受信を制御するための電子機器及びプログラムからなる。こサーバ通信制御手段６２により、カラオケ演奏端末１０との間で送受信するデータ及び信号の同期や誤り制御等を行う。
【００３１】
＜周波数特性補正情報記憶管理手段＞
周波数特性補正情報記憶管理手段６３は、補聴器（聴力補助具）を使用する利用者（聴力障害を有する利用者）の利用者ＩＤと、当該利用者の補聴器（聴力補助具）の右耳用周波数特性補正情報及び左耳用周波数特性補正情報とを紐付けて記憶するためのプログラムからなり、この周波数特性補正情報記憶管理手段６３により、利用者別周波数特性補正情報データベース６４ｂを作成して管理する。なお、補聴器とは、聴力障害者が装着して聴力を補うための聴力補助具のことであり、その態様はどのようなものであってもよい。
【００３２】
＜利用者別周波数特性補正情報データベース＞
聴力障害者には、聴取可能な周波数帯域に違いがあるのが一般的である。例えば、低音域の音を聴き取り難く、中音域、高音域の音は聴き取ることができる場合や、低音域の音は聴き取ることができるが、中音域、高音域の音は聴き取り難い場合がある。この可聴周波数帯域が左右の耳で異なっていると、それぞれの耳に適合して周波数特性を補正した補聴器（聴力補助具）を使用する必要がある。
【００３３】
利用者別周波数特性補正情報データベース６４ｂは、図２に示すように、利用者別に、左右の耳について補正すべき（増幅すべき）周波数特性を記憶したデータベースであり、例えば、低音域（５００Ｈｚ）、中音域（１０００Ｈｚ）、高音域（２０００Ｈｚ）について、それぞれ、補正すべき（増幅すべき）か否か及び補正する（増幅する）度合を定義したものである。なお、図２に示す例では、低音域、中音域、高音域について、補正度合を含めて定義しているが、簡易的なデータとして、補正すべき（増幅すべき）であることのみを定義してもよい。また、より低音域である１２５Ｈｚ、より高音域である４０００Ｈｚ、８０００Ｈｚ等に対するデータを加えてもよい。また、図２に示す例において、補正度合を示す値は、通常値に対して増幅すべき度合を規格化したものであり、当該数値に対応した増幅を行うようになっている。
【００３４】
なお、極限までの小型化が要求される身体装着用の補聴器と異なり、本実施形態における周波数特性補正機能にはそのような制限がないため、カラオケ演奏装置１０の備える信号処理のリソースを最大限投入することも可能である。つまり補聴器よりもきめの細かい周波数特性補正情報を持たせることが可能である。
【００３５】
なお、利用者情報管理データベース６４ａの構成データに利用者別周波数特性補正情報を含ませることにより、利用者別周波数特性補正情報データベース６４ｂを利用者情報管理データベース６４ａに統合してもよい。
【００３６】
＜カラオケリモコン装置＞
カラオケリモコン装置１２は、ユーザインタフェース機能を備えており、ルータ４０及びデータ通信回線５０を介して、カラオケ本体１１との間でデータの送受信を行うようになっている。このカラオケリモコン装置１２は、楽曲検索手段１２ａとして機能するプログラム、楽曲索引データベース１２ｂ、種々のデータを記憶するためのデータ記憶部１２ｃ、データの入出力を行うための入出力表示部１２ｄ、利用者にログインを行わせるためのログイン手段１２ｅを備えている。このカラオケリモコン装置１２に付帯するスイッチ類や、入出力表示部１２ｄに表示される各種のアイコン等を操作することにより、選曲操作等が行われる。
【００３７】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏端末１０で演奏に供されるカラオケ楽曲について、その属性情報を記述したデータベースであり、例えば、楽曲番号・曲名・アーティスト名・歌い出し部分の歌詞・流行時期・音楽ジャンル・デュエット曲か否かなど、種々の属性情報がこれに含まれている。楽曲検索手段１２ａは、利用者の指示に基づき、楽曲索引データベース１２ｂを参照して楽曲を検索する。
【００３８】
＜ログイン手段＞
ログイン手段１２ｅは、利用者にログインを行わせるための電子機器及びプログラムからなる。ログイン手段１２ｅは、例えば、利用者が所持する会員カード７０に記憶された利用者ＩＤを読み取ってログインを行わせるためのカードリーダにより構成することができる。なお、ログイン手段１２ｅは、会員カードから利用者ＩＤを読み取ってログインを行わせる装置だけではなく、入出力表示部１２ｄを用いて入力された利用者ＩＤ及びパスワードに基づいてログインする利用者の利用者ＩＤを取得してもよいし、利用者の携帯情報端末との間でデータの送受信を行い、ログインする利用者の利用者ＩＤを取得してもよい。
【００３９】
＜マイクロホン＞
マイクロホン１３は、歌唱音声の入力を行うための装置である。マイクロホン１３から入力された歌唱音声信号は、ミキシングアンプ１６により、音楽再生制御手段３０から送出されるカラオケ演奏信号とミキシングされるとともに増幅され、スピーカ１４へ出力される。また、図示しないが、マイクロホン１３からの音声入力信号をＡ／Ｄコンバータによりデジタル変換し、歌唱採点手段における歌唱採点等に使用してもよい。
【００４０】
＜スピーカ＞
スピーカ１４は、上述したように、カラオケ演奏音及び歌唱音声を出力するための装置であり、本実施形態では、ステレオ音を出力するために、第１スピーカ１４ａ及び第２スピーカ１４ｂを備えている。以下、ステージに向かって左側のスピーカを第１スピーカ１４ａ、向かって右側のスピーカを第２スピーカ１４ｂとして説明を行う（図３、図４参照）。
【００４１】
なお、先に説明したように、第１スピーカ１４ａ及び第２スピーカ１４ｂは、それぞれ１つのスピーカにより構成してもよいが、出力音域が異なる複数のスピーカ（例えば、ツイーター、スコーカー、ウーファー）を１群として、第１スピーカ１４ａ及び第２スピーカ１４ｂをそれぞれ構成してもよい。
【００４２】
＜表示装置＞
表示装置１５は、カラオケ楽曲に関連した背景映像や歌詞テロップ等を表示するための装置で、例えば、液晶ディスプレイ等により構成される。
【００４３】
＜カラオケ本体＞
カラオケ本体１１は、中央制御手段２１、ＲＯＭ２２、ＲＡＭ２３、ＨＤＤ２４、端末通信制御手段２５、周波数特性補正情報取得手段２６、ステレオ音声信号出力手段２７、モード切換手段２８、予約楽曲管理手段２９、音楽再生制御手段３０、映像再生制御手段３１を備えている。
【００４４】
＜中央制御手段＞
中央制御手段２１は、カラオケ本体１１を総合的に制御するための電子機器であり、例えばＣＰＵ及びその周辺機器により構成されており、ＣＰＵ等がＲＯＭ２２等に記憶されたプログラムに従って動作することにより、制御機能を発揮することができるようになっている。
【００４５】
＜ＲＯＭ／ＲＡＭ＞
ＲＯＭ２２は、カラオケ本体１１を構成する各機器を制御するためのプログラムデータや数値データを記憶するための電子機器で、例えば半導体メモリ等で構成される。また、ＲＡＭ２３は、プログラムや各種データを一時的に記憶する一時記憶領域として機能するもので、例えば半導体メモリ等で構成される。本実施形態では、ＲＡＭ２３に、予約楽曲管理テーブル２３ａ、ログイン利用者周波数特性補正情報２３ｂが記憶されている。
【００４６】
＜ＨＤＤ＞
ＨＤＤ２４は、大容量記憶装置として機能するもので、楽曲データベース２４ａ、映像データベース２４ｂが格納されている。なお、ＨＤＤ２４に替えて、あるいはＨＤＤ２４と共に、データを書き替え可能なＤＶＤ等の大容量記憶手段を用いてもよい。
【００４７】
＜楽曲データベース／映像データベース＞
楽曲データベース２４ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００４８】
＜予約楽曲管理手段／予約楽曲管理テーブル＞
予約楽曲管理手段２９は、任意の利用者がカラオケ楽曲の予約を行う際に、当該利用者の利用者ＩＤと予約楽曲の楽曲ＩＤとを紐付けして、予約楽曲管理テーブル２３ａにて管理するためのプログラムからなる。すなわち、予約楽曲管理手段２９は予約楽曲管理テーブル２３ａを作成し、この予約楽曲管理テーブル２３ａをＲＡＭ２３に格納して管理する。予約楽曲管理テーブル２３ａは、利用者により楽曲検索手段１２ａの機能を用いて選曲された楽曲ＩＤを演奏順に並べて作成したデータテーブルである。
【００４９】
上述したように、利用者ＩＤは、会員カード７０や携帯情報端末に記憶されており、カラオケリモコン装置１２に付帯したログイン手段１２ｅを用いて取得することができる。また、携帯情報端末を用いて楽曲予約を行うことができる構成とした場合には、携帯情報端末に記憶された個人識別情報を楽曲予約データとともにカラオケ演奏端末１０に送信することにより、利用者ＩＤを取得することができる。さらに、システムログインした利用者に対して、仮の利用者ＩＤを付与してもよい。
【００５０】
＜端末通信制御手段＞
端末通信制御手段２５は、サーバ６０との間で、データ及び信号の送受信を制御するための電子機器及びプログラムからなる。上述したように、カラオケ演奏端末１０は、ルータ４０及びデータ通信回線５０を介してサーバ６０と接続されており、端末通信制御手段２５及びサーバ通信制御手段６２の機能により、両者の間で送受信する信号及びデータの同期や誤り訂正を行う。
【００５１】
また、端末通信制御手段２５は、カラオケ本体１１とカラオケリモコン装置１２との間におけるデータの送受信を行うためにも機能する。本実施形態では、カラオケ本体１１は、ルータ４０及びデータ通信回線５０を介してカラオケリモコン装置１２とデータの送受信を行うようになっている。
【００５２】
＜周波数特性補正情報取得手段＞
周波数特性補正情報取得手段２６は、サーバ６０から利用者の右耳用周波数特性補正情報及び左耳用周波数特性補正情報を取得するためのプログラムからなる。すなわち、カラオケ演奏端末１０は、サーバ６０のサーバＨＤＤ６４に格納された利用者別周波数特性補正情報データベース６４ｂから、ログインした利用者の周波数特性補正情報を取得する。取得した周波数特性補正情報は、ログイン利用者周波数特性補正情報２３ｂとしてＲＡＭ２３に一時的に記憶する。
【００５３】
＜ステレオ音声信号出力手段＞
ミキシングアンプ１６は、カラオケ演奏信号及びカラオケ演奏に合わせた利用者の歌唱音声信号を混合して、第１スピーカ１４ａ及び第２スピーカ１４ｂにて放音するためのステレオ音声信号を出力する。そして、ステレオ音声信号出力手段２７は、周波数特性補正情報取得手段２６により取得した右耳用周波数特性補正情報に基づいて第１スピーカ１４ａまたは第２スピーカ１４ｂのいずれか一方から放音するための音声信号の周波数特性を補正して出力するようミキシングアンプ１６を制御するとともに、周波数特性補正情報取得手段２６により取得した左耳用周波数特性補正情報に基づいて、第１スピーカ１４ａまたは第２スピーカ１４ｂのいずれか他方から放音するための音声信号の周波数特性を補正して出力するようミキシングアンプ１６を制御するプログラムからなる。
【００５４】
すなわち、利用者の右耳側に第１スピーカ１４ａが設置されており、利用者の左耳側に第２スピーカ１４ｂが設置されている場合に、ステレオ音声信号出力手段２７は、右耳用に放音するステレオ音声信号として、周波数特性補正情報取得手段２６により取得した右耳用周波数特性補正情報に基づいて第１スピーカ１４ａから放音するための音声信号の周波数特性を補正して出力するようミキシングアンプ１６を制御する。一方、左耳用に放音するステレオ音声信号として、周波数特性補正情報取得手段２６により取得した左耳用周波数特性補正情報に基づいて第２スピーカ１４ｂから放音するための音声信号の周波数特性を補正して出力するようミキシングアンプ１６を制御する。
【００５５】
＜モード切換手段＞
モード切換手段２８は、２種類の音声出力モードを切り換えて音声信号を出力するためのプログラムからなる。２種類の音声出力モードは、第１の音声出力モードと、第２の音声出力モードからなる。例えば、利用者がカラオケリモコン装置１２の入手力表示部１２ｄに表示されるモード切換アイコン（図示せず）を操作すると、モード切換信号がモード切換手段２８に送信される。そして、モード切換信号を受信したモード切換手段２８は、モード切換信号に基づき音声出力モードを切り換えてミキシングアンプ１６が音声信号を出力するようステレオ音声信号出力手段２７を制御する。本実施形態における音声出力モードは、カラオケ歌唱モード（第１の音声出力モード）とＢＧＭ鑑賞モード（第２の音声出力モード）の２種類である。
【００５６】
第１の音声出力モードは、周波数特性補正情報取得手段２６により取得した右耳用周波数特性補正情報に基づいて第１スピーカ１４ａから放音するための音声信号の周波数特性を補正して出力するとともに、周波数特性補正情報取得手段２６により取得した左耳用周波数特性補正情報に基づいて第２スピーカ１４ｂから放音するための音声信号の周波数特性を補正して出力するモードである。
【００５７】
第２の音声信号出力モードは、周波数特性補正情報取得手段２６により取得した右耳用周波数特性補正情報に基づいて第２スピーカ１４ｂから放音するための音声信号の周波数特性を補正して出力するとともに、周波数特性補正情報取得手段２６により取得した左耳用周波数特性補正情報に基づいて第１スピーカ１４ａから放音するための音声信号の周波数特性を補正して出力するモードである。
【００５８】
＜音楽再生制御手段＞
音楽再生制御手段３０は、楽曲ＩＤに基づいて楽曲データから抽出された演奏制御データに基づいて、音源（シンセサイザ）を駆動しカラオケ演奏信号を構成する楽音信号を生成するとともにアナログ変換してミキシングアンプ１６に出力するための電子機器である。また、ミキシングアンプ１６は、マイクロホン１３から入力された歌唱者の歌唱音声信号と、音楽再生制御手段３０から送出されるカラオケ演奏信号とをミキシングすると共に、ステレオ音声信号出力手段２７の制御により第１スピーカ１４ａ及び第２スピーカ１４ｂから放音するための音声信号の周波数特性をそれぞれ補正し、アンプ機能により増幅して第１スピーカ１４ａ及び第２スピーカ１４ｂより出力するための装置である。
【００５９】
＜映像再生制御手段＞
映像再生制御手段３１は、カラオケ楽曲の演奏中に、映像データベース２４ｂから抽出した背景映像データと、楽曲データに含まれる歌詞描出データに基づいて作成される歌詞文字とを、当該カラオケ楽曲の楽曲データに同期させて表示装置１５に出力するための電子機器である。
【００６０】
＜第１の音声出力モードにおけるステレオ音声の出力＞
カラオケ演奏端末１０にログインした利用者の利用者ＩＤがサーバ６０に送信されると、サーバ６０では、周波数特性補正情報記憶管理手段６３の機能により当該利用者ＩＤに紐付けして記憶された右耳用周波数特性補正情報及び左耳用周波数特性補正情報を読み出して、カラオケ演奏端末１０に送信する。カラオケ演奏端末１０では、受信した右耳用周波数特性補正情報及び左耳用周波数特性補正情報からなるログイン利用者周波数特性補正情報２３ｂをＲＡＭ２３に一時的に記憶する。
【００６１】
そして、図３に示すように、利用者がモード切換操作を行って「カラオケ歌唱モード」に設定されている場合に、利用者ＩＤを付帯して選曲予約された楽曲を歌唱するために、当該利用者ＩＤの利用者がステージに立ったとする。この状態で、当該予約楽曲のカラオケ演奏が開始され当該利用者が歌唱を行うと、カラオケ演奏信号と歌唱音声信号がミキシングされたステレオ音声信号が生成され、第１スピーカ１４ａ及び第２スピーカ１４ｂから放音が行われる。
【００６２】
このとき、カラオケ演奏端末１０では、第１スピーカ１４ａから放音する音声信号の周波数特性を右耳用周波数特性補正情報に基づいて補正し、第２スピーカ１４ｂから放音する音声信号の周波数特性を左耳用周波数特性補正情報に基づいて補正して、第１スピーカ１４ａ及び第２スピーカ１４ｂから放音する。
【００６３】
＜第２の音声出力モードにおけるステレオ音声の出力＞
第２の音声出力モードにおいても、右耳用周波数特性補正情報及び左耳用周波数特性補正情報からなるログイン利用者周波数特性補正情報２３ｂをＲＡＭ２３に一時的に記憶するまでの手順は、上述した第１の音声出力モードと同様である。
【００６４】
そして、図４に示すように、利用者がモード切換操作を行って「ＢＧＭ鑑賞モード」に設定されている場合に、利用者ＩＤを付帯して選曲予約された楽曲を聴取するために、当該利用者ＩＤの利用者が客席に座ったとする。この状態で、当該予約楽曲のカラオケ演奏が開始されると、ＢＧＭ演奏信号のみのステレオ音声信号が生成され、第１スピーカ１４ａ及び第２スピーカ１４ｂから放音が行われる。
【００６５】
このとき、カラオケ演奏端末１１では、第１スピーカ１４ａから放音する音声信号の周波数特性を左耳用周波数特性補正情報に基づいて補正し、第２スピーカ１４ｂから放音する音声信号の周波数特性を右耳用周波数特性補正情報に基づいて補正して、第１スピーカ１４ａ及び第２スピーカ１４ｂから放音する。また、利用者が客席に着席して歌唱する場合にも、第２の音声出力モード（ＢＧＭ鑑賞モード）を選択すればよい。
【００６６】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６７】
１００  通信カラオケシステム
１０  カラオケ演奏端末
１１  カラオケ本体
１２  カラオケリモコン装置
１２ａ  楽曲検索手段
１２ｂ  楽曲索引データベース
１２ｃ  データ記憶部
１２ｄ  入出力表示部
１２ｅ  ログイン手段
１３  マイクロホン
１４  スピーカ
１４ａ  第１スピーカ
１４ｂ  第２スピーカ
１５  表示装置
１６  ミキシングアンプ
２１  中央制御手段
２２  ＲＯＭ
２３  ＲＡＭ
２３ａ  予約楽曲管理テーブル
２３ｂ  ログイン利用者周波数特性補正情報
２４  ＨＤＤ
２４ａ  楽曲データベース
２４ｂ  映像データベース
２５  端末通信制御手段
２６  周波数特性補正情報取得手段
２７  ステレオ音声信号出力手段
２８  モード切換手段
２９  予約楽曲管理手段
３０  音楽再生制御手段
３１  映像再生制御手段
４０  ルータ
５０  データ通信回線
６０  サーバ
６１  サーバ制御手段
６２  サーバ通信制御手段
６３  周波数特性補正情報記憶管理手段
６４  サーバＨＤＤ
６４ａ  利用者情報管理データベース
６４ｂ  利用者別周波数特性補正情報データベース
６５  利用者情報記憶管理手段
７０  会員カード
【図１】
0006343539.tif 000002
【図２】
0006343539.tif 000003
【図３】
0006343539.tif 000004
【図４】
0006343539.tif 000005